(57)【要約】【課題】従来のユーザインタフェース装置は、所定値と所定値以外の設定候補値を、ユーザが使用場面に応じて使い分けたい時に、操作の手間が考慮されていなかった。【解決手段】設定をするための入力手段１０１と、設定候補提示手段１０２と、１つの設定値から別の設定値に変更するための手間を算出する設定入力距離算出手段１０３を備え、設定候補提示手段１０２は、所定値である設定デフォルト値１０４と前記所定値以外の設定候補値１０５とについて設定入力距離算出手段１０３により算出された距離が所定値以上の差がある場合、設定候補値１０５を設定候補提示手段１０２に提示することで、機器のコースや目標温度や動作時間等を設定する際に、ユーザが前回値や固定値や学習値などの所定値と、その所定値以外を使い分けたい時にも、機器の操作性を向上できる。【選択図】図１
2012128541.tif 000002
【特許請求の範囲】
【請求項１】
コースや目標温度や動作時間を設定するための入力手段と、前記入力手段で設定する際の設定値候補を提示するための設定候補提示手段と、１つの設定値から別の設定値に変更するための手間を算出する設定入力距離算出手段を備え、前記設定候補提示手段は、所定値と前記所定値以外の設定候補値とについて前記設定入力距離算出手段により算出された距離が所定値以上の差がある場合、前記所定値以外の設定候補値を前記設定候補提示手段に提示するユーザインタフェース装置。
【請求項２】
前記設定入力距離算出手段が算出する距離は、１つの設定値から別の設定値に変更するための前記入力手段での操作回数により算出する請求項１記載のユーザインタフェース装置。
【請求項３】
前記入力手段で設定する内容について予めグループ分けして操作階層を設けている場合において、前記設定入力距離算出手段が算出する距離は、前記入力手段での前記操作階層により重み付けして算出する請求項２記載のユーザインタフェース装置。
【請求項４】
前記入力手段を複数の入力部で構成する場合において、前記設定入力距離算出手段が算出する距離は、１つの設定値から別の設定値に変更する際に操作する前記入力部の空間移動距離により重み付けして算出する請求項１〜３のいずれか１項に記載のユーザインタフェース装置。
【請求項５】
計時手段を備え、前記所定値または前記所定値以外の設定候補値のうち少なくとも一方は、前記入力手段で入力された時間帯での推奨候補値とする請求項１〜４のいずれか１項に記載のユーザインタフェース装置。
【請求項６】
計時手段と、前記入力手段により設定された内容を記憶するための設定履歴記憶手段を備え、前記所定値または前記所定値以外の設定候補値のうち少なくとも一方は、前記入力手段で入力された時間帯についての前記設定履歴記憶手段に記憶された設定履歴から決定した同時間帯の設定代表値とする請求項１〜５のいずれか１項に記載のユーザインタフェース装置。
【請求項７】
前記設定候補提示手段は、前記所定値以外の設定候補値を提示する場合、前記所定値と共に提示する請求項１〜６のいずれか１項に記載のユーザインタフェース装置。
【請求項８】
前記設定入力距離算出手段が算出する距離が所定値未満の時、前記設定候補提示手段は、所定値または前記所定値以外の設定候補値のいずれか一方を、前記所定値との前記所定値以外の設定候補値を共に提示する場合に比べて、大きく提示する請求項７記載のユーザインタフェース装置。
【請求項９】
請求項１〜８のいずれか１項に記載のユーザインタフェース装置を備えた機器。
【発明の詳細な説明】
【技術分野】
【０００１】
本発明は、ユーザがオーブンレンジや洗濯機等の機器操作を行う際に、ユーザの操作やユーザの使用するタイミングに合わせて、機器の操作性を向上するように操作の選択肢を提示するユーザインタフェース装置、及びそれを備えた機器に関するものである。
【背景技術】
【０００２】
従来、提示されている設定画面に応じて前回選択された候補を提示するか特定の候補を優先提示するかを決定する選択候補表示方法があった（例えば、特許文献１参照）。
【０００３】
また、一定期間内の累積使用回数と最新使用日時間隔を入力として、最近の一定期間にしばしばアクセスするメニュー項目の表示優先度は高いというルールを用いたファジー推論で、メニュー項目の表示優先度を決定するというメニュー項目の優先表示方法があった（例えば、特許文献２参照）。
【０００４】
さらに、利用する時刻が含まれる時間帯で最も多く選択されるメニュー項目にメニューカーソルを位置づけるメニュー表示方式（例えば、特許文献３参照）や、時間帯で選択される頻度に応じてメニューを並べ替える操作支援装置があった（例えば、特許文献４参照）。
【先行技術文献】
【特許文献】
【０００５】
【特許文献１】特開２００９−２１７６６２号公報
【特許文献２】特開平５−１１３８６３号公報
【特許文献３】特開平５−１１９９４９号公報
【特許文献４】特開２００３−７００７５号公報
【発明の概要】
【発明が解決しようとする課題】
【０００６】
しかしながら、従来の特許文献１では、提示されている設定画面に応じて前回選択された候補を提示するか特定の候補を優先提示するかを決定することで、選択肢の提示方法として、機器の操作性の向上のために使われることの多い前回選択されたものを優先提示するのが必ずしも便利といえないことへの操作改善は図れるものの、画面と選択肢候補の紐付けは初期状態において機器側で予め決められたものを使うか、ユーザが紐付けをどうするか設定画面毎に設定を行う必要があり、前回値と前回値以外の特定候補値を、ユーザが使用場面に応じて使い分けたい時に、操作の手間が考慮されていると言えなかった。
【０００７】
また、従来の特許文献２では、操作状況を学習することで、操作される可能性の高いものを優先提示することで、従来の特許文献３や特許文献４では、利用する時刻が含まれる時間帯で最も多く選択されるメニュー項目から操作開始できるようにし、ユーザが使用するタイミングに合わせた候補が提示されることで、操作改善は図れるものの、操作状況で学習された値と、その学習値以外の値を、ユーザが使用場面に応じて使い分けたい時に、操作の手間が考慮されていると言えなかった。
【０００８】
本発明は、前記従来の課題を解決するもので、前回値や固定値などの所定値と所定値以外を使い分けたい時にも対応し、操作の手間と表示の視認性のバランスを考慮した、機器の操作性を向上できるユーザインタフェース装置、及びそれを備えた機器を提供することを目的とする。
【課題を解決するための手段】
【０００９】
前記従来の課題を解決するために、本発明のユーザインタフェース装置、及びそれを備えた機器は、コースや目標温度や動作時間を設定するための入力手段と、前記入力手段で設定する際の設定値候補を提示するための設定候補提示手段と、１つの設定値から別の設定値に変更するための手間を算出する設定入力距離算出手段を備え、前記設定候補提示手段は、所定値と前記所定値以外の設定候補値とについて前記設定入力距離算出手段により算出された距離が所定値以上の差がある場合、前記所定値以外の設定候補値を前記設定候補提示手段に提示するようにしたものである。
【００１０】
これによって、機器のコースや目標温度や動作時間等を設定する際に、ユーザが前回値や固定値や学習値などの所定値と、その所定値以外を使い分けたい時にも対応し、操作の手間と表示の視認性のバランスを考慮して機器の操作性を向上できるユーザインタフェース装置、及びそれを備えた機器を提供することができる。
【発明の効果】
【００１１】
本発明のユーザインタフェース装置、及びそれを備えた機器は、機器のコースや目標温度や動作時間等を設定する際に、前回値や固定値や学習値などの所定値と、その所定値以外を使い分けたい時にも対応し、操作の手間と表示の視認性のバランスを考慮して機器の操作性を向上することができる。
【００１２】
ユーザの使用可能性に応じて、設定候補として、所定値と、所定値以外の値がある時、所定値以外の設定のために所定値からの変更手間が大きい場合は、所定値以外の候補値を提示して操作性を優先し、変更手間が大きくない場合は、表示の視認性を優先して、機器の操作性を向上することができる。
【図面の簡単な説明】
【００１３】
【図１】本発明の実施の形態１におけるユーザインタフェース装置の構成を示すブロック図
【図２】同ユーザインタフェース装置の動作の流れを示すフローチャート
【図３】同ユーザインタフェース装置の設定入力距離算出手段の距離算出方法の第一の方法の一例を示す図
【図４】同ユーザインタフェース装置での所定値と所定値以外の表示の一例を示す図
【図５】同ユーザインタフェース装置の設定入力距離算出手段の距離算出方法の第二の方法の一例を示す図
【図６】同ユーザインタフェース装置の設定入力距離算出手段の距離算出方法の第三の方法の一例を示す図
【図７】同ユーザインタフェース装置の入力された時間帯での推奨候補値または入力された時間帯の設定代表値の決定の動作の流れを示すフローチャート
【発明を実施するための形態】
【００１４】
第１の発明は、本発明のユーザインタフェース装置は、コースや目標温度や動作時間を設定するための入力手段と、前記入力手段で設定する際の設定値候補を提示するための設定候補提示手段と、１つの設定値から別の設定値に変更するための手間を算出する設定入力距離算出手段を備え、前記設定候補提示手段は、所定値と前記所定値以外の設定候補値とについて前記設定入力距離算出手段により算出された距離が所定値以上の差がある場合、前記所定値以外の設定候補値を前記設定候補提示手段に提示するようにしたものである。
【００１５】
これによって、機器のコースや目標温度や動作時間等を設定する際に、ユーザが前回値
や固定値や学習値などの所定値と、その所定値以外を使い分けたい時にも対応し、操作の手間を考慮して機器の操作性を向上できるユーザインタフェース装置を提供することができる。
【００１６】
第２の発明は、特に第１の発明において、ユーザインタフェース装置は、前記設定入力距離算出手段が算出する距離は、１つの設定値から別の設定値に変更するための前記入力手段での操作回数により算出するものである。
【００１７】
これにより、所定値から設定変更する操作の手間を数値化することで手間量を判断でき、手間量の大きいものは、前記設定候補提示手段に提示することで設定の手間量を削減することができる。
【００１８】
第３の発明は、特に第２の発明において、ユーザインタフェース装置は、前記入力手段で設定する内容について予めグループ分けして操作階層を設けている場合において、前記設定入力距離算出手段が算出する距離は、前記入力手段での前記操作階層により重み付けして算出するものである。
【００１９】
これにより、設定の大項目まで変更する場合は、操作回数が同じでも手間量の重みを大きくすることで、ユーザの操作手間感を反映することができる。
【００２０】
第４の発明は、特に第１〜第３のいずれかの発明において、ユーザインタフェース装置は、前記入力手段を複数の入力部で構成する場合において、前記設定入力距離算出手段が算出する距離は、１つの設定値から別の設定値に変更する際に操作する前記入力部の空間移動距離により重み付けして算出するものである。
【００２１】
これにより、設定変更するために操作する入力部の空間距離が離れている場合には、手間量の重みを大きくすることで、ユーザの操作手間感を反映することができる。
【００２２】
第５の発明は、特に第１〜第４のいずれかの発明において、ユーザインタフェース装置は、計時手段を備え、前記所定値または前記所定値以外の設定候補値のうち少なくとも一方は、前記入力手段で入力された時間帯での推奨候補値とするものである。
【００２３】
これにより、一般的な生活パターンに合わせて、しかも考慮して機器の操作性を向上できるユーザインタフェース装置を提供することができる。
【００２４】
第６の発明は、特に第１〜第５のいずれかの発明において、ユーザインタフェース装置は、計時手段と、前記入力手段により設定された内容を記憶するための設定履歴記憶手段を備え、前記所定値または前記所定値以外の設定候補値のうち少なくとも一方は、前記入力手段で入力された時間帯についての前記設定履歴記憶手段に記憶された設定履歴から決定した同時間帯の設定代表値とするものである。
【００２５】
これにより、ユーザの生活パターンに合わせて、しかも考慮して機器の操作性を向上できるユーザインタフェース装置を提供することができる。
【００２６】
第７の発明は、特に第１〜第６のいずれかの発明において、ユーザインタフェース装置は、前記設定候補提示手段が、前記所定値以外の設定候補値を提示する場合、前記所定値と共に提示するものである。
【００２７】
これにより、ユーザが前回値や固定値や学習値などの所定値と、その所定値以外を使い分けたい時にも、どちらかを選択するだけで簡単に対応でき、操作の手間を考慮して機器
の操作性を向上できるユーザインタフェース装置を提供することができる。
【００２８】
第８の発明は、特に第７の発明において、ユーザインタフェース装置は、前記設定入力距離算出手段が算出する距離が所定値未満の時、前記設定候補提示手段は、所定値または前記所定値以外の設定候補値のいずれか一方を、前記所定値と前記所定値以外の設定候補値を共に提示する場合に比べて、大きく提示するものである。
【００２９】
これにより、機器のコースや目標温度や動作時間等を設定する際に、前回値や固定値や学習値などの所定値と、その所定値以外を使い分けたい時にも対応し、所定値以外の設定のために所定値からの変更手間が大きい場合は、所定値以外の候補値を提示して操作性を優先し、変更手間が大きくない場合は、表示の視認性を優先して、操作の手間と表示の視認性のバランスを考慮して機器の操作性を向上することができる。
【００３０】
第９の発明は、特に第１〜第８のいずれかの発明において、ユーザインタフェース装置を備えた機器とするものである。
【００３１】
これにより、機器のコースや目標温度や動作時間等を設定する際に、前回値や固定値や学習値などの所定値と、その所定値以外を使い分けたい時にも対応し、所定値以外の設定のために所定値からの変更手間が大きい場合は、所定値以外の候補値を提示して操作性を優先し、変更手間が大きくない場合は、表示の視認性を優先して、操作の手間と表示の視認性のバランスを考慮して機器の操作性を向上した機器を提供することができる。
【００３２】
以下、本発明の実施の形態について、図面を参照しながら説明する。なお、この実施の形態によって本発明が限定されるものではない。
【００３３】
（実施の形態１）
図１は、本発明の実施の形態１におけるユーザインタフェース装置の構成を示すブロック図である。図２は、同ユーザインタフェース装置の動作の流れを示すフローチャートである。
【００３４】
図３、図５、図６は、同ユーザインタフェース装置の設定入力距離算出手段の距離算出方法の第一〜第三の方法の一例を示す図、図４は、同ユーザインタフェース装置での所定値と所定値以外の表示の一例を示す図、図７は、同ユーザインタフェース装置の入力された時間帯での推奨候補値または入力された時間帯の設定代表値の決定の動作の流れを示すフローチャートである。
【００３５】
図１において、ユーザインタフェース装置１は、入力手段１０１と、設定候補提示手段１０２（本実施の形態では構成する表示部として液晶表示部５を備えている）と、設定入力距離算出手段１０３と、所定値である設定デフォルト値１０４、設定候補値１０５、計時手段１０６、入力手段１０１により設定入力を行った履歴を記憶するための設定履歴記憶手段１０７を備えている。
【００３６】
以上のように構成されたユーザインタフェース装置１を備えた機器の一例としての電子レンジについて、以下その動作、作用を説明する。
【００３７】
まず、使用者は、電子レンジで、例えば図示しない「あたため」スイッチを押す。電子レンジに電源投入後の初回「あたため」スイッチ操作の場合は、設定候補提示手段１０２には、所定値である設定デフォルト値１０４（本実施の形態では、初期値「６０℃」）が提示される。所定値である「６０℃」以外の設定候補値はない。
【００３８】
その後、例えば、使用者は、汁物をあたためるため、入力手段１０１により目標温度を「８５℃」に変更して、同じく図示しない「スタート」スイッチを押して「あたため」動作を行う。この目標温度は設定履歴記憶手段１０７に記憶される。
【００３９】
次に、使用者は、再び「あたため」を行う必要があって、「あたため」スイッチを押す。所定値である設定デフォルト値１０４（本実施の形態では、初回時と同様の、初期値「６０℃」）以外に、設定候補値１０５として、設定履歴記憶手段１０７により目標温度の前回設定値である「８５℃」がセットされる。
【００４０】
即ち、設定デフォルト値１０４以外に提示する候補値ありとなる（ステップＳ１）。設定入力距離算出手段１０３は、例えば、図３に示したように、設定デフォルト値２である「６０℃」を使用者が設定候補値３である「８５℃」に変更する場合に必要な操作回数（本実施の形態では、図示しない目標温度を５℃刻みで上げるための「▲」スイッチでの操作回数）を算出し、設定入力距離を５と決定する（ステップＳ２）。
【００４１】
この場合、設定入力距離が所定値（本実施の形態では、４）以上なので、設定デフォルト値１０４である「６０℃」と、設定候補値１０５である「８５℃」を、設定候補提示手段１０２で、共に通常フォントサイズ（本実施の形態では、８ドット×８ドット）で提示する（ステップＳ３、ステップＳ４）。
【００４２】
この場合の表示例を、図４の（ａ）に示す。図４の（ａ）では、同じ画面に同時に、設定デフォルト値１０４と設定候補値１０５を提示するようにしたが、例えば、１秒毎に画面を切り換えて提示するようにしてもかまわない。
【００４３】
また、設定デフォルト値１０４が「６０℃」で、設定候補値１０５が「５５℃」であった場合でも、本実施の形態のように、入力手段１０１に目標温度を下げるための「▼」スイッチを設けず、５℃刻みで上げるための「▲」スイッチだけで設定しなければならない場合は、「▲」を押す回数が所定値である４以上の場合は、上記と同様の対応を行う。
【００４４】
設定入力距離算出手段１０３で算出した設定入力距離が所定値（本実施の形態では４）未満であった場合、即ち、例えば、設定デフォルト値１０４が「６０℃」で、設定候補値１０５が「７０℃」であった場合には、設定入力距離算出手段１０３は、同様に設定入力距離を算出し、設定入力距離が２となる。
【００４５】
このため、設定デフォルト値１０４の「６０℃」または設定候補値１０５の「７０℃」のいずれか一方（本実施の形態では、所定値優先のため、設定デフォルト値１０４の「６０℃」）を、設定候補提示手段１０２で、共に通常フォントサイズより大きいサイズ（本実施の形態では、１６ドット×１６ドット）で提示する（ステップＳ３、ステップＳ５）。この場合の表示例を、図４の（ｂ）に示す。
【００４６】
なお、本実施の形態では、１回でも目標温度設定して「スタート」スイッチを押して「あたため」動作を行うと、設定履歴記憶手段１０７により目標温度の前回設定値として設定候補値１０５にセットされるようにしたが、設定履歴記憶手段１０７での所定期間内の学習値をセットするようにしてもかまわない。
【００４７】
次に、「あたため」対象の調理物に応じて、複数のメニューがあり、設定候補提示手段１０２で提示されるメニュー設定画面が、図５に示したように、複数枚数準備されている場合において、例えば、所定値である設定デフォルト値８が「ごはん」で、設定デフォルト値以外の設定候補値９が「中華まん」であった場合には、設定デフォルト値８である「ごはん」を使用者が設定候補値９である「中華まん」に設定変更する場合に必要な操作は
、本実施の形態では、図示しない「ページ送り」スイッチの１回の操作と、同じく図示しない設定カーソルを右送りする「右送り」スイッチの２回の操作となる（本実施の形態では、「ページ送り」スイッチを押した時点で、第１画面６が第２画面７に切り替り、設定カーソルはメニューＡの下に移動する）。
【００４８】
この場合、設定入力距離算出手段１０３は、「ページ送り」は、操作階層が１段上層だとして１回の操作あたり２を重み付け、設定入力距離を（１×２）＋１＋１＝４と算出する。設定入力距離が、４以上のため、設定候補提示手段１０２は、図５の第１画面６での提示順序について、設定デフォルト値８である「ごはん」の次（右隣）に、設定候補値９である「中華まん」を提示する。
【００４９】
本実施の形態では、第１画面６の「飲み物」や「酒かん」についても、設定履歴記憶手段１０７での設定履歴に応じて、最新の所定期間での使用頻度の学習に応じて仮順位付けした後、仮順位が早いものから設定入力距離算出手段１０３で算出した設定入力距離が４以上の場合には、順序を入れ替えるようにした。
【００５０】
なお、本実施の形態では、「ページ送り」操作を行うものを操作階層が異なるようにして重み付けを行うようにしたが、設定のカテゴリーが異なる時、設定項目が異なる時は、操作回数が同じでも操作階層が異なるとして重み付けを行うようにしてもかまわない。
【００５１】
また、本実施の形態では、操作階層が異なる場合の重み付けを２としたが、任意の値としてかまわない。
【００５２】
さらに、本実施の形態では、設定入力距離算出手段１０３が算出する設定入力距離が所定値未満の時、所定値である設定デフォルト値１０４の優先度を高くして提示するようにしたり、所定値である設定デフォルト値１０４と設定候補値１０５との設定カーソル４、１０を、所定値である設定デフォルト値側に置くようにしたが、設定候補値の方を優先度を高くして提示したり、カーソルを置くようにしてもかまわない。
【００５３】
次に、図６に示したように、入力手段１０１を構成する入力部が複数あり、設定デフォルト値１０４（例えば、「焼き魚」メニュー）から設定候補値１０５（例えば、「庫内お手入れ」メニュー）への設定変更の際に、入力部１１操作→入力部１２操作→入力部１１操作を行うことが必要な場合、入力部１１操作→入力部１２操作、及びには、入力部１１操作→入力部１２操作には空間異動が必要であるため、各々重み付けを３とする。
【００５４】
この場合、設定入力距離算出手段１０３は、設定入力距離を１＋（１×３）＋（１×３）＝７と算出する。設定入力距離が、４以上のため、設定候補提示手段１０２は、図５で示した手順と同様に、設定デフォルト値８である「焼き魚」の次（右隣）に、設定候補値９である「庫内お手入れ」を提示する。
【００５５】
尚、本実施の形態では、入力部の空間配置でグループ分けし、グループ間で移動がある場合に、重み付けを行うようにしたが、入力部の空間移動距離に応じて段階的に重み付けを行うようにしてもかまわない。
【００５６】
次に、例えば、図示しない「あたためメニュー」スイッチを押す。電子レンジに電源投入後の初回「あたためメニュー」スイッチ操作の場合は、設定候補提示手段１０２には、所定値である設定デフォルト値１０４（本実施の形態では、初期値「ごはん」）が提示される。所定値である「ごはん」以外の設定候補値はない。
【００５７】
その後、例えば、朝の時間帯（本実施の形態では、朝の時間帯は５時〜１０時）に、使
用者は、汁物をあたためるため、入力手段１０１により「汁物あたため」に変更して、同じく図示しない「スタート」スイッチを押して「あたため」動作を行う。設定されたメニュー内容は、計時手段１０６で計時された時間帯と共に設定履歴記憶手段１０７に記憶される。
【００５８】
次に、使用者は、再び「あたため」を行う必要があって、朝の時間帯に、「あたためメニュー」スイッチを押す。図７に示したように、所定値である設定デフォルト値１０４（本実施の形態では、初回時と同様の、初期値「ごはん」）以外に、設定候補値１０５として、設定履歴記憶手段１０７により朝の時間帯で学習した設定代表値があれば、この設定代表値がセットされる。
【００５９】
朝の時間帯で学習した設定代表値は、本実施の形態では、最新の１週間の設定履歴により操作回数と最新度から決定される。即ち、設定が当日又は前日に行われた場合は重み付け２、設定が前々日に行われた場合は重み付け１．５、設定がそれより以前に行われた場合は重み付け１として、１週間あたりの各設定回数について重み付けした後、所定値以上（４以上）の中で値が一番大きな設定内容を学習した設定代表値とする。
【００６０】
例えば、朝の時間帯に「汁物あたため」が前日と前々日と４日前に設定されていて、「メニューＡ」が当日と３日前に設定されていたとすれば、「汁物あたため」は（１×２）＋（１×１．５）＋１＝４．５、「メニューＡ」は１となり、「汁物あたため」は、重み付けの値が４以上で、他に４以上のものがないので、朝時間帯設定候補値となる（ステップＳ６、ステップＳ７、ステップＳ９）。
【００６１】
使用２回目であれば、まだ、朝時間帯設定候補値は決定されておらず、本実施の形態では、朝時間帯での推奨候補値を「牛乳あたため」としているので、設定候補値１０５として、「牛乳あたため」がセットされる（ステップＳ６、ステップＳ７、ステップＳ８、ステップＳ１０）。
【００６２】
動作設定操作を行う時間帯が、朝時間帯でなければ、朝時間帯での設定候補値１０５はなしとなる（ステップＳ６、ステップＳ７、ステップＳ１１）。
【００６３】
本実施の形態では、動作設定操作を行う時間帯を、朝、昼（本実施の形態では、１０時〜１５時）、夜（１７時〜３時）、その他（３時〜５時）とに分け、各々の時間帯について、設定代表値を学習するようにし、推奨候補値を「あたためメニュー」の場合は、朝と昼は、「牛乳あたため」、夜は「酒かん」、その他は「なし」とした。
【００６４】
設定入力距離算出手段１０３で設定入力距離を算出し、設定候補提示手段１０２に提示する手順は、同様である。
【００６５】
なお、本実施の形態では、ユーザインタフェース装置１を備えた機器として電子レンジとしたが、例えば洗濯機などで、夜時間帯の推奨候補値として「ナイトコース」としてもかまわないし、その他家電機器としてもかまわない。
【００６６】
以上のように、本実施の形態においては、ユーザインタフェース装置１は、コースや目標温度や動作時間を設定するための入力手段１０１と、入力手段１０１で設定する際の設定値候補を提示するための設定候補提示手段１０２と、１つの設定値から別の設定値に変更するための手間を算出する設定入力距離算出手段１０３を備え、設定候補提示手段１０２は、所定値である設定デフォルト値１０４と設定デフォルト値１０４以外の設定候補値１０５とについて設定入力距離算出手段１０３により算出された距離が所定値以上の差がある場合、設定候補値１０５を設定候補提示手段１０２に提示するようにしたものである
。
【００６７】
これによって、機器のコースや目標温度や動作時間等を設定する際に、ユーザが前回値や固定値や学習値などの所定値と、その所定値以外を使い分けたい時にも対応し、操作の手間を考慮して機器の操作性を向上できるユーザインタフェース装置を提供することができる。
【００６８】
また、本実施の形態においては、設定入力距離算出手段１０３が算出する距離は、１つの設定値から別の設定値に変更するための入力手段１０１での操作回数により算出することで、所定値から設定変更する操作の手間を数値化することで手間量を判断でき、手間量の大きいものは、前記設定候補提示手段に提示することで設定の手間量を削減することができる。
【００６９】
また、本実施の形態においては、入力手段１０１で設定する内容について予めグループ分けして操作階層を設けている場合において、設定入力距離算出手段１０３が算出する距離は、入力手段１０１での操作階層により重み付けして算出することで、設定の大項目まで変更する場合は、操作回数が同じでも手間量の重みを大きくすることで、ユーザの操作手間感を反映することができる。
【００７０】
さらに、本実施の形態においては、入力手段１０１を複数の入力部１１、入力部１２で構成する場合において、設定入力距離算出手段１０３が算出する距離は、１つの設定値から別の設定値に変更する際に操作する入力部１１、入力部１２の空間移動距離により重み付けして算出することにより、設定変更するために操作する入力部の空間距離が離れている場合には、手間量の重みを大きくすることで、ユーザの操作手間感を反映することができる。
【００７１】
また、本実施の形態においては、計時手段１０６を備え、所定値である設定デフォルト値１０４または設定デフォルト値１０４以外の設定候補値１０５のうち少なくとも一方は、入力手段１０１で入力された時間帯での推奨候補値とすることにより、一般的な生活パターンに合わせて、しかも考慮して機器の操作性を向上できるユーザインタフェース装置を提供することができる。
【００７２】
また、本実施の形態においては、計時手段１０６と、入力手段１０１により設定された内容を記憶するための設定履歴記憶手段１０７を備え、所定値である設定デフォルト値１０４または設定デフォルト値１０４以外の設定候補値１０５のうち少なくとも一方は、入力手段１０１で入力された時間帯についての設定履歴記憶手段１０７に記憶された設定履歴から決定した同時間帯の設定代表値とすることにより、ユーザの生活パターンに合わせて、しかも考慮して機器の操作性を向上できるユーザインタフェース装置を提供することができる。
【００７３】
さらに、本実施の形態においては、設定候補提示手段１０２が、設定デフォルト値１０４以外の設定候補値１０５を提示する場合、所定値である設定デフォルト値１０４と共に提示することにより、ユーザが前回値や固定値や学習値などの所定値と、その所定値以外を使い分けたい時にも、どちらかを選択するだけで簡単に対応でき、操作の手間を考慮して機器の操作性を向上できるユーザインタフェース装置を提供することができる。
【００７４】
また、本実施の形態においては、設定入力距離算出手段１０３が算出する距離が所定値未満の時、設定候補提示手段１０２は、所定値である設定デフォルト値１０４または設定デフォルト値１０４以外の設定候補値１０５うちいずれか一方を、所定値である設定デフォルト値１０４と設定デフォルト値１０４以外の設定候補値１０５を共に提示する場合に
比べて、大きく提示することにより、機器のコースや目標温度や動作時間等を設定する際に、前回値や固定値や学習値などの所定値と、その所定値以外を使い分けたい時にも対応し、所定値以外の設定のために所定値からの変更手間が大きい場合は、所定値以外の候補値を提示して操作性を優先し、変更手間が大きくない場合は、表示の視認性を優先して、操作の手間と表示の視認性のバランスを考慮して機器の操作性を向上することができる。
【００７５】
さらに、本実施の形態のユーザインタフェース装置１を備えた機器とすることで、機器のコースや目標温度や動作時間等を設定する際に、前回値や固定値や学習値などの所定値と、その所定値以外を使い分けたい時にも対応し、所定値以外の設定のために所定値からの変更手間が大きい場合は、所定値以外の候補値を提示して操作性を優先し、変更手間が大きくない場合は、表示の視認性を優先して、操作の手間と表示の視認性のバランスを考慮して機器の操作性を向上した機器を提供することができる。
【産業上の利用可能性】
【００７６】
以上のように、本発明にかかるユーザインタフェース装置、及びそれを備えた機器は、コースや目標温度や動作時間を設定するための入力手段と、前記入力手段で設定する際の設定値候補を提示するための設定候補提示手段と、１つの設定値から別の設定値に変更するための手間を算出する設定入力距離算出手段を備え、前記設定候補提示手段は、所定値と前記所定値以外の設定候補値とについて前記設定入力距離算出手段により算出された距離が所定値以上の差がある場合、前記所定値以外の設定候補値を前記設定候補提示手段に提示するようにしたものである。
【００７７】
これによって、機器のコースや目標温度や動作時間等を設定する際に、ユーザが前回値や固定値や学習値などの所定値と、その所定値以外を使い分けたい時にも対応し、操作の手間と表示の視認性のバランスを考慮して機器の操作性を向上できるので、電子レンジや洗濯機などの家庭用機器だけでなく、業務用機器にも適用でき、使用者の操作性を向上するのに有用である。
【符号の説明】
【００７８】
１  ユーザインタフェース装置
２、８、１０４  設定デフォルト値
３、９、１０５  設定候補値
５  液晶表示部
１１、１２  入力部
１０１  入力手段
１０２  設定候補提示手段
１０３  設定入力距離算出手段
１０６  計時手段
１０７  設定履歴記憶手段
【図１】
2012128541.tif 000003
【図２】
2012128541.tif 000004
【図３】
2012128541.tif 000005
【図４】
2012128541.tif 000006
【図５】
2012128541.tif 000007
【図６】
2012128541.tif 000008
【図７】
2012128541.tif 000009